(57)【特許請求の範囲】
【請求項１】
被検部位に挿入する内視鏡と、この内視鏡によって得られた内視鏡画像を表示するモニタとを有する内視鏡装置と、
前記内視鏡に設けられ、検査終了を指示する検査終了スイッチを有する内視鏡スイッチと、
前記内視鏡装置と接続し前記内視鏡装置で得た前記内視鏡画像を記録する画像ファイリング装置と、
を備えた内視鏡画像ファイリングシステムであって、
前記内視鏡装置に設けられ、前記内視鏡スイッチによる検査終了を指示する情報を前記画像ファイリング装置に送信する第１の送信手段と、
前記画像ファイリング装置に設けられ、前記画像ファイリング装置が有する情報を前記内視鏡装置に送信する第２の送信手段と、
前記内視鏡装置に設けられ、前記第２の送信手段から送信された情報を受信する第１の受信手段と、
前記画像ファイリング装置に設けられ、前記第１の送信手段から送信された情報を受信する第２の受信手段と、
前記画像ファイリング装置に設けられ、前記第２の受信手段で受信した前記検査終了を指示する情報に応じて、前記画像ファイリング装置の検査終了動作を制御する手段と、
前記内視鏡装置に設けられ、前記第１の受信手段で受信した前記画像ファイリング装置が有する情報を前記モニタに表示する手段と、
を備えたことを特徴とする内視鏡画像ファイリングシステム。
【請求項２】
前記画像ファイリング装置は、前記内視鏡スイッチと同様な操作を行うための入力手段を有することを特徴とする請求項１に記載の内視鏡画像ファイリングシステム。
【請求項３】
前記モニタに表示する手段は、前記内視鏡装置と前記画像ファイリング装置との間で通信可能状態を示す情報、または、前記内視鏡装置による検査状態を示す情報を表示するように構成されたことを特徴とする請求項１または２に記載の内視鏡画像ファイリングシステム。
【請求項４】
前記内視鏡スイッチは、画像の記録を指示するレリーズスイッチを更に有し、
前記レリーズスイッチは、検査開始を指示するスイッチとしても機能することを特徴とする請求項１，２または３に記載の内視鏡画像ファイリングシステム。
【発明の詳細な説明】
【０００１】
【発明の属する技術分野】
本発明は、内視鏡装置で得た内視鏡画像を記録する内視鏡画像ファイリングシステムに関する。
【０００２】
【従来の技術】
細長の挿入部を体腔内等の被検部位に挿入して観察する内視鏡に撮像手段を備え、この撮像手段で撮像した被検部位の画像つまり内視鏡画像をモニタに表示する内視鏡装置が従来より利用されている。
【０００３】
また近年、内視鏡画像を記録する画像ファイリング装置を内視鏡装置に接続した内視鏡画像ファイリングシステムが広く利用されている。
【０００４】
内視鏡画像ファイリングシステムは、内視鏡装置に備えられた内視鏡スイッチ例えばレリーズスイッチを押すと、モニタに表示されている内視鏡画像が画像ファイリング装置に記録されるようになっている。
【０００５】
また、内視鏡画像ファイリングシステムは、内視鏡画像を記録するばかりでなく、記録した内視鏡画像に関する医師等の所見、患者の年齢や性別といった患者情報、内視鏡検査を行った開始時刻・終了時刻等、内視鏡検査に関わる様々な情報を記録できるようになっている。
【０００６】
【発明が解決しようとする課題】
しかしながら、従来の技術で述べたような内視鏡画像ファイリングシステムは、例えば画像ファイリング装置が画像を記録可能か否かの状態の情報や患者情報等といった画像ファイリング装置が有する情報を内視鏡装置側で確認することができず、操作性が阻害されていた。
【０００７】
また、例えば内視鏡検査を行った開始時刻・終了時刻等の内視鏡装置側で発生する情報を別途画像ファイリング装置側で入力する作業が発生し、操作性が阻害されていた。
【０００８】
本発明は、上記事情に鑑みてなされたものであり、
画像ファイリング装置が有する情報を内視鏡装置で得られるようにし、また内視鏡装置で発生する情報を画像ファイリング装置で得られるようにし、操作性を向上させる画像ファイリングシステムを提供する。
【０００９】
【課題を解決するための手段】
本発明の第１の内視鏡画像ファイリングシステムは、被検部位に挿入する内視鏡と、この内視鏡によって得られた内視鏡画像を表示するモニタとを有する内視鏡装置と、前記内視鏡に設けられ、検査終了を指示する検査終了スイッチを有する内視鏡スイッチと、前記内視鏡装置と接続し前記内視鏡装置で得た前記内視鏡画像を記録する画像ファイリング装置と、を備えた内視鏡画像ファイリングシステムであって、前記内視鏡装置に設けられ、前記内視鏡スイッチによる検査終了を指示する情報を前記画像ファイリング装置に送信する第１の送信手段と、前記画像ファイリング装置に設けられ、前記画像ファイリング装置が有する情報を前記内視鏡装置に送信する第２の送信手段と、前記内視鏡装置に設けられ、前記第２の送信手段から送信された情報を受信する第１の受信手段と、前記画像ファイリング装置に設けられ、前記第１の送信手段から送信された情報を受信する第２の受信手段と、前記画像ファイリング装置に設けられ、前記第２の受信手段で受信した前記検査終了を指示する情報に応じて、前記画像ファイリング装置の検査終了動作を制御する手段と、前記内視鏡装置に設けられ、前記第１の受信手段で受信した前記画像ファイリング装置が有する情報を前記モニタに表示する手段と、を備えたことを特徴とする。
【００１０】
本発明の第２の内視鏡画像ファイリングシステムは、前記第１の内視鏡画像ファイリングシステムにおいて、前記画像ファイリング装置は、前記内視鏡スイッチと同様な操作を行うための入力手段を有することを特徴とする。
本発明の第３の内視鏡画像ファイリングシステムは、前記第１または第２の内視鏡画像ファイリングシステムにおいて、前記モニタに表示する手段は、前記内視鏡装置と前記画像ファイリング装置との間で通信可能状態を示す情報、または、前記内視鏡装置による検査状態を示す情報を表示するように構成されたことを特徴とする。
本発明の第４の内視鏡画像ファイリングシステムは、前記第１乃至第３の内視鏡画像ファイリングシステムにおいて、前記内視鏡スイッチは、画像の記録を指示するレリーズスイッチを更に有し、前記レリーズスイッチは、検査開始を指示するスイッチとしても機能することを特徴とする。
【００１１】
【発明の実施の形態】
以下、図面を参照して本発明の実施の形態を説明する。
【００１２】
図１ないし図４４は本発明の第１の実施の形態に係り、図１は内視鏡画像ファイリングシステムの全体構成を説明する説明図、図２は内視鏡装置の構成を説明する説明図、図３は画像ファイリング装置のハードウェア構成を説明するブロック図、図４は画像ファイリング装置の画面構成の概要を説明する説明図、図５は画像ファイリング装置の操作の流れの全体像を説明するフローチャート、図６はログイン画面の画面表示の例を示す図、図７はスケジュール一覧画面の画面表示の例を示す図、図８は絞り込み条件設定画面の画面表示の例を示す図、図９はカレンダ画面の画面表示の例を示す図、図１０は絞り込み条件設定画面の画面表示の例を示す図、図１１は絞り込み条件設定画面の画面表示の例を示す図、図１２は絞り込み条件設定画面の画面表示の例を示す図、図１３は検査室稼働状況表示画面の画面表示の例を示す図、図１４は資源スケジュール編集画面の画面表示の例を示す図、図１５は資源スケジュール編集画面の画面表示の例を示す図、図１６は患者一覧画面の画面表示の例を示す図、図１７は患者情報編集画面の画面表示の例を示す図、図１８は検査情報編集画面の画面表示の例を示す図、図１９は検査実行画面の画面表示の例を示す図、図２０は検査情報参照画面の画面表示の例を示す図、図２１は患者情報参照画面の画面表示の例を示す図、図２２は検査実行時の内視鏡モニタ画面の画面表示の例を示す図、図２３は検査実行時の内視鏡モニタ画面の画面表示の例を示す図、図２４は画像編集テンプレート設定画面の画面表示の例を示す図、図２５は画像編集テンプレート設定画面の画面表示の例を示す図、図２６は検査実行の流れを説明するフローチャート、図２７は画像選択画面の画面表示の例を示す図、図２８は人体図形画面の画面表示の例を示す図、図２９は画像保存画面の画面表示の例を示す図、図３０は画像保存画面の画面表示の例を示す図、図３１は画像編集画面の画面表示の例を示す図、図３２は画像編集画面の画面表示の例を示す図、図３３は色調設定画面の画面表示の例を示す図、図３４は注意画面の画面表示の例を示す図、図３５は距離測定画面の画面表示の例を示す図、図３６は距離測定画面の画面表示の例を示す図、図３７は距離測定画面の画面表示の例を示す図、図３８は画像分類画面の画面表示の例を示す図、図３９は画像分類一覧画面の画面表示の例を示す図、図４０は印刷画像数選択画面の画面表示の例を示す図、図４１は印刷確認画面の画面表示の例を示す図、図４２はレポート作成画面の画面表示の例を示す図、図４３はレポート作成画面の画面表示の例を示す図、図４４はレポート作成画面の画面表示の例を示す図である。
【００１３】
図１に示すように、本実施の形態の内視鏡画像ファイリングシステムは、内視鏡装置１、この内視鏡装置１に接続された画像ファイリング装置２から主に構成される。
【００１４】
内視鏡装置１は、被検部位１１に挿入する内視鏡１２、光源装置１３、画像生成装置１４、モニタ１５、キーボード１６等から構成されている。
【００１５】
画像ファイリング装置２は、パーソナルコンピュータ２１、モニタ２２、キーボード２３、マウス２４等から構成されている。
【００１６】
図２を使用して、内視鏡装置１の内部構成を説明する。
【００１７】
内視鏡１には、被検部位１１を照明する照明光を内視鏡１２の手元側から挿入部の先端部分まで伝送するライトガイド１２ａが配設されており、ライトガイド１２ａの手元側は光源装置１３に接続されている。
【００１８】
光源装置１３内には、照明光を発光するためのランプ等の発光手段１３ａが配設されている。発光手段１３ａで発光された照明光は、集光光学系１３ｂにより集光され、ライトガイド１２ａに入射するようになっている。
【００１９】
集光光学系１３ｂの光路の途中には、モータ１３ｃで回転する赤色・緑色・青色（図中ではＲ・Ｇ・Ｂと記している）の３つの光学フィルタ１３ｄが取り付けられた回転板が配置されており、被検部位を照明する照明光の色を時分割で切り替えるようになっている。
【００２０】
一方、内視鏡１２の挿入部の先端部分には、被検部位１１を撮像するための例えば固体撮像素子等で構成された撮像手段１２ｂが配設されている。
【００２１】
撮像手段１２ｂで撮像された被検部位１１の画像信号は、画像生成装置１４内の画像処理部１４ａに入力され、例えば色強調処理等の画像処理が施されて、画像メモリ１４ｂに次々一時記憶される。
【００２２】
画像メモリ１４ｂに記憶された画像データはＤ／Ａ変換部１４ｃに入力されてＤ／Ａ変換され、Ｄ／Ａ変換部１４ｃはＲＧＢ方式の画像信号を出力する。
【００２３】
画像処理部１４ａ、画像メモリ１４ｂ等は、画像生成装置１４内の各部を制御する制御手段であるコントローラ１４ｄにより制御されて動作している。
【００２４】
Ｄ／Ａ変換部１４ｃから出力された画像信号は、後述するキャラクタジェネレータ１４ｅから出力された画像信号と合成回路１４ｆで合成され、合成回路１４ｆから出力されたＲＧＢ方式の画像信号はモニタ１５に入力され、モニタ１５に被検部位の画像が表示されるようになっている。この時、モニタ１５に供給する同期信号（図中ではＳＹＮＣと記している）は、コントローラ１４ｄに制御される同期信号発生部１４ｇが発生している。
【００２５】
コントローラ１４ｄからは、文字情報がキャラクタジェネレータ１４ｅに入力され、キャラクタジェネレータ１４ｅは、入力された文字情報を画像信号に変換して出力するようになっている。つまり、モニタ１５の画面には、被検部位の画像に文字情報を合成して表示できるようになっており、内視鏡装置１の使用者に各種メッセージを伝えることができるようになっている。
【００２６】
合成回路１４ｆから出力された画像信号は、モニタ１５に出力されるばかりでなく、モニタ２２にも表示できるように、画像ファイリング装置２に出力されるようになっている。
【００２７】
一方、内視鏡１２には、画像を記録する指示を入力するためのレリーズスイッチ、内視鏡検査の開始時点及び終了時点に押す開始・終了スイッチを含む内視鏡スイッチ１２ｃが配設されており、コントローラ１４ｄは内視鏡スイッチ１２ｃの状態を検出することができるようになっている。
【００２８】
また、コントローラ１４ｄは、例えば公知のＲＳ−２３２Ｃ方式の通信インタフェース部１４ｈを介して、画像ファイリング装置２と情報の送受をできるようになっている。
【００２９】
これにより、内視鏡装置１は、画像ファイリング装置２にスイッチ１２の状態といった内視鏡装置１の各種状態等を伝えることができるようになっている。また、画像ファイリング装置２から各種メッセージを受け取ったり、受け取ったメッセージをキャラクタジェネレータ１４ａ等を介してモニタ１５上に表示することができるようになっている。
【００３０】
データ入力部１４ｉは、キーボード１６から入力されたデータや指示をコントローラ１４ｄに入力するためのものである。
【００３１】
図３を使用して、画像ファイリング装置２の主要部であるパーソナルコンピュータ２１の内部構成を説明する。
【００３２】
パーソナルコンピュータ２１は、パーソナルコンピュータ２１の各部を制御する主制御手段であるＣＰＵ２１ａ、ＣＰＵ２１ａを動作させるプログラムやモニタ２２への表示メッセージ等が格納されたＲＯＭ２１ｂ、ＣＰＵ２１ａの作業領域や各種データの一時記憶領域として使用するＲＡＭ２１ｃ、モニタ２２へ出力する画像データを一時記憶するＶＲＡＭ２１ｄ、画像データや各種データを保存するハードディスク２１ｅ、ハードディスク２１ｅと公知のＳＣＳＩ方式でデータを送受するためのＳＣＳＩインタフェース部２１ｆ、マウス２４からの入力を検出するマウスインタフェース部２１ｇ、キーボード２３からの入力を検出するキーボードインタフェース部２１ｈ、内視鏡装置１と各種データを送受するための例えば公知のＲＳ−２３２Ｃ方式の通信インタフェース部２１ｉ、内視鏡装置１から出力された画像信号を入力するインタフェース回路であるビデオ回路２１ｊ、ビデオ回路２１ｊで入力した画像信号をＡ／Ｄ変換するＡ／Ｄ変換部２１ｋ、Ａ／Ｄ変換部２１ｋから出力された画像データを一時記憶する画像メモリ２１ｌ等から構成されている。
【００３３】
これらにより、パーソナルコンピュータ２１を主要部とする画像ファイリング装置２は、内視鏡装置１で得た画像データをモニタ２２に表示したり、ハードディスク２１に記憶すること等ができるようになっている。
【００３４】
また、内視鏡スイッチ１２ｃの状態を得て、内視鏡スイッチ１２ｃの状態に応じてＣＰＵ２１ａで処理を振り分けること等ができるようになっている。例えば、画像を記録したり、検査開始・終了時刻を記録すること等ができるようになっている。
【００３５】
また、画像ファイリング装置２からのメッセージを内視鏡装置１に伝えることができるようになっている。
【００３６】
また、画像ファイリング装置２は、モニタ２２に表示される各種画面に従って、操作者がキーボード２３やマウス２４からデータや指示を入力し、入力されたデータや指示に従ってＣＰＵ２１ａが各部を制御し、処理を実行するようになっている。つまり、画像ファイリング装置２は、モニタ２２に表示される画面の流れに従って各種処理を実行するようになっている。
【００３７】
図４を使用して、画像ファイリング装置２の画面構成の概要を説明する。
【００３８】
先ず、画像ファイリング装置２を起動すると、操作者を認証するためのログイン画面３１が表示される。
【００３９】
ログイン画面３１で操作者が認証されると、検査スケジュールの一覧等を表示するスケジュール一覧画面４１が表示される。
【００４０】
スケジュール一覧画面４１からは、患者情報の一覧を表示する患者一覧画面５１を呼び出すことができるようになっている。この患者一覧画面５１からは、患者情報を新規に登録したり、既に登録されている患者情報を編集するための患者情報編集画面５２を呼び出すことができるようになっている。
【００４１】
また、スケジュール一覧画面４１からは、検査情報を新規に登録して検査予約したり、既に登録されている検査情報を編集するための検査情報編集画面６１を呼び出すことができるようになっている。
【００４２】
また、スケジュール一覧画面４１からは、内視鏡装置１と接続して検査を実行し、内視鏡装置１から画像を取り込んだりするための検査実行画面７１を呼び出すことができるようになっている。
【００４３】
また、スケジュール一覧画面４１からは、取り込んだ画像の内、作成する検査レポートで画像を選択したりするための画像選択画面８１を呼び出すことができるようになっている。
【００４４】
また、スケジュール一覧画面４１からは、検査レポートを作成するための画面の１つであるレポート作成画面９１を呼び出すことできるようになっている。また、レポート作成画面９１からは、異なる機能を有するレポート作成画面９２、９３へ遷移することができるようになっている。
【００４５】
図５を使用して、画像ファイリング装置２の操作の全体の流れの一例を説明する。なお、図中の符号Ｓ１ないしＳ７は処理ステップに付した符号である
先ず、内視鏡画像ファイリング装置２を起動すると、ログイン画面３１が表示され、ここで操作者の認証を行い、ステップＳ１に示すようにログインすると、スケジュール一覧画面４１が表示され、ここでステップＳ２に示すように検査スケジュールを確認する。
【００４６】
次に、検査対象の患者が新規の患者である場合、患者一覧画面５１及び患者情報編集画面５２を呼び出して、ステップＳ３に示すように患者情報を登録する。
【００４７】
次に、検査情報編集画面６１を呼び出し、ステップＳ４に示すように新規の検査予約を入力する。
【００４８】
次に、検査実行画面７１を呼び出し、ステップＳ５に示すように画像ファイリング装置２に接続された内視鏡装置１で検査を実行し、内視鏡装置１で得た画像を画像ファイリング装置２に記憶する。
【００４９】
次に、画像選択画面８１を呼び出し、ステップＳ６に示すように、検査実行で得た画像の内作成する検査レポートで参照する画像を選択する。
【００５０】
次に、レポート作成画面９１、９２、９３を呼び出し、検査レポートを作成する。
【００５１】
以上が、操作の全体の流れの一例である。
【００５２】
以下に、各画面の詳細な構成や動作を説明する。
【００５３】
図６は、ログイン画面３１の画面表示の例である。
【００５４】
画像ファイリング装置２を起動すると、ログイン画面３１が開く。
【００５５】
なお、本明細書において、表示されていなかった画面が現れることを画面が開くと表現する場合がある。また、表示されていた画面の表示が終了することを画面が閉じると表現する場合がある。
【００５６】
ログイン画面３１には、内視鏡画像ファイリングシステムの製品名やバージョン情報等を含むタイトル３１ａを表示するようにしてもよい。
【００５７】
なお、本明細書で参照する図面の内、画面表示を示す図面中のメッセージ等の表示は英語及び一部独語を使用しているが、これらは日本語であってもよいし、また他の言語や図形であってもよい。
【００５８】
ログイン画面３１が表示されたら、操作者のＩＤであるユーザＩＤを入力欄３１ｃに入力し、操作者のパスワードを入力欄３１ｄに入力し、了解ボタン３１ｅをクリックする。
【００５９】
なお、本明細書において、ボタンとは、画面上の特定の領域であり、この領域内に適宜このボタンの機能を現す図柄や文字が記されたものであり、この領域に適宜陰影を表示して立体感を表現し、画面上で押しボタンスイッチの形状を表現したものである。また、ボタンをクリックする操作とは、画面上のボタンの領域内にマウス２４のカーソルを移動させ、マウス２４をクリックする操作のことである。画面上のボタンをクリックすると、各ボタンに対応付けられた機能が実行されるようになっている。
【００６０】
ここで、入力されたユーザＩＤ及びパスワードが正当なものであると認証された場合には、次の画面であるスケジュール一覧画面４１に遷移する。
【００６１】
また、入力されたユーザＩＤ及びパスワードが正当なものでない場合には、ログイン画面３１で再びユーザＩＤ及びパスワードが入力要求される。
【００６２】
また、ユーザＩＤには画像ファイリング装置２に対する利用権限の種類例えばシステム管理者の権限、医師の権限等が対応付けられており、これらの利用権限の種類に応じて、画像ファイリング装置２で使用できる機能が制限される。例えば、システム管理者の権限を有しない操作者のユーザＩＤが入力された場合には、この操作者は画像ファイリング装置２を保守するための説明しない機能例えば新規にユーザＩＤを登録する機能等を使用することができないようになっている。
【００６３】
また、終了ボタン３１ｆをクリックした場合には、画像ファイリング装置２の動作が終了する。
【００６４】
図７は、スケジュール一覧画面４１の画面表示の例である。
【００６５】
スケジュール一覧画面４１には、検査資源のスケジュールの一覧を表示する資源スケジュール一覧表示エリア４１ａが配置されている。
【００６６】
なお、本明細書において、検査資源とは、検査に関わる医師や看護婦や技師等の担当者、検査に使用する検査室、検査に使用する機材のことを指して呼ぶ。また、１件の資源スケジュールに含まれる情報を資源スケジュールレコードと呼ぶ。
【００６７】
資源スケジュール一覧表示エリア４１ａには、１つの資源スケジュールレコードが１行に表示されるようになっている。
【００６８】
資源スケジュール一覧表示エリア４１ａ内の１行に表示される資源スケジュールレコードには、資源の利用開始日時、利用終了日時、資源の名称である資源名などが含まれている。
【００６９】
また、スケジュール一覧画面４１には、検査情報の一覧を表示する検査情報一覧表示エリア４１ｂが配置されている。
【００７０】
なお、本明細書において、１件の検査情報を検査情報レコードと呼ぶ。
【００７１】
検査情報一覧表示エリア４１ｂの１行目には、検査情報レコードを構成する各データ項目の見出しが表示されている。検査情報レコードは、検査情報一覧表示エリア４１ｂの３行目から表示され、１つの検査情報レコードは、検査情報一覧表示エリア４１ｂの１行に表示されるようになっている。
【００７２】
検査情報一覧表示エリア４１ｂに表示される検査情報レコードを構成するデータ項目には、検査日４１ｂａ、検査の開始時刻４１ｂｂ、終了時刻４１ｂｃ、患者の姓４１ｂｄ、患者の名４１ｂｅ、検査担当者名４１ｂｆ、使用する検査室名４１ｂｇ等が含まれている。
【００７３】
また、検査情報表示エリア４１ｂには、各検査に関わる作業の進行状況等の状態を表示する検査状態表示欄４１ｃが配置されている。
【００７４】
検査状態表示欄４１ｃを構成する検査状態表示欄４１ｃａには、検査情報の入力必須項目及び該検査の対象の患者情報の入力必須項目が全て入力済みであるか否かの区別が表示される。例えば、これらが全て入力済みの場合には「×」印が表示され、その他の場合には空白となるようになっている。
【００７５】
また、検査状態表示欄４１ｃｂには、患者から検査承諾書を受け取った日付が入力されているか否かの区別が表示される。例えば、入力されている場合には「×」印が表示し、入力されていない場合には空白となるようになっている。
【００７６】
また、検査状態表示欄４１ｃｃには、既に検査を実行しているか否かの区別が表示される。例えば、既に実行されている場合には「×」印が表示され、行われていない場合には空白となるようになっている。ここで、検査状態表示欄４１ｃｃに「×」印が記されている検査は、検査により患者の被検部位１１の画像を既に得ていることを意味している。
【００７７】
検査状態表示欄４１ｃｄには、検査レポートが作成済みであるか否かの区別が表示される。例えば、作成済みの場合には「×」印が表示され、未だ作成されていない場合には空白となるようになっている。
【００７８】
検査状態表示欄４１ｃｅには、会計コードが入力済みであるか否かの区別が表示される。例えば、入力済みの場合には「×」印が表示され、未入力の場合には空白となるようになっている。
【００７９】
検査状態表示欄４１ｃｆには、内視鏡検査で生体組織を採取するといった生検を行った場合の生検の検査結果の状態が表示される。例えば、生検を行い既に生検の検査結果が得られている場合には「×」印が表示され、生検を行い未だ生検の検査結果が得られていない場合には「！」印が表示され、生検を行っていない場合には空白となるようになっている。
【００８０】
検査情報一覧表示エリア４１ｂには、全ての検査情報レコードを表示できるばかりでなく、関心のある検査情報レコードを絞り込んで表示することができる。
【００８１】
検査情報一覧表示エリア４１ｂの１行目つまり各データ項目の項目名等が表示されている行の各データ項目の位置には、それぞれのデータ項目に絞り込み条件を設定する画面を呼び出すためのボタンであるフィルタ・ボタン４１ｄが配置されている。
【００８２】
各フィルタ・ボタン４１ｄは、対応するデータ項目に絞り込み条件が設定されていない場合には、凸状態のボタンとなっている。
【００８３】
なお、凸状態のボタンとは、画面上でボタンが浮き上がって見えるように陰影を表示した状態のボタンのことであり、また、凹状態のボタンとは、画面上でボタンが凹んで見えるように陰影を表示した状態のボタンのことである。
【００８４】
凸状態のフィルタ・ボタン４１ｄをクリックすると、対応するデータ項目に絞り込み条件を設定するための画面である後述する絞り込み条件設定画面が開き、絞り込み条件を入力することができるようになっている。ここで、絞り込み条件を入力することにより、この絞り込み条件を満たす検査情報レコードのみが検査情報一覧表示エリア４１ｂに表示されるようになっている。
【００８５】
また、絞り込み条件の設定されているデータ項目に対応したフィルタ・ボタン４１ｄは凹状態のボタンとなる。
【００８６】
凹状態のフィルタ・ボタン４１ｄが複数ある場合には、各フィルタ・ボタン４１ｄで設定した絞り込み条件の論理積の条件により、検査情報レコードが絞り込まれて表示される。
【００８７】
凹状態のフィルタ・ボタン４１ｄをクリックすると、対応するデータ項目に設定された絞り込み条件が解除され、フィルタ・ボタン４１ｄは凸状態のボタンとなる。
【００８８】
ここで、例えば検査日４１ｂａに絞り込み条件を設定する場合の操作の流れを説明する。
【００８９】
検査日４１ｂａに対応した位置のフィルタ・ボタン４１ｄａをクリックすると、検査日４１ｂａに絞り込み条件を設定するための図８に示す絞り込み条件設定画面４２が呼び出される。
【００９０】
絞り込み条件設定画面４２で、絞り込み開始日付の設定欄４２ａ及び絞り込み終了日付の設定欄４２ｂにそれぞれ日付を設定し、了解ボタン４２ｃをクリックすると、絞り込み条件設定画面４２が閉じ、フィルタ・ボタン４１ｄａが凹状態となり、検査日４１ｂａが設定欄４２ａ、４２ｂで設定した日付の間にある検査情報レコードのみが検査情報一覧表示エリア４１ｂに表示されるようになっている。  設定欄４２ａ、４２ｂに日付を入力する際、現在の日付、現在の月の１日、現在の週の最初の日、現在の年の最初の日のいづれかの日付を入力する場合等には、マウス２４で該当項目に対応したボタン４２ｄをクリックすることで設定することができる。また、現在の日付との相対日数を以て設定することもでき、この場合、該当項目に対応したボタン４２ｅをマウス２４でクリックし、相対日数を１日ずつ増加させるボタン４２ｆ及び減少させるボタン４２ｇをマウス２４でクリックする操作により設定することができる。また、入力欄４２ｈにキーボード２３で年月日を入力することもできる。また、カレンダ呼び出しボタン４２ｉをクリックすると、図９に示すカレンダ画面４３が呼び出され、カレンダ画面４３上に表示された日付ボタン４３ａをクリックすることで、日付ボタン４３ａに対応する日付が入力欄４２ｈに入力され、日付を設定することができる。カレンダ画面４３は、マウス２４の操作で表示する年月を変更することができ、任意の年月日を選択できるようになっている。
【００９１】
また、図７に示す検査情報一覧表示エリア４１ｂで、例えば患者の姓４１ｂｄの位置に対応したフィルタ・ボタン４１ｄａをクリックした場合には、絞り込む患者の姓の条件を設定する図１０に示す絞り込み条件設定画面４４が呼び出される。絞り込み条件設定画面４４の入力欄４４ａに患者の姓をキーボード２３で入力し、了解ボタン４４ｂをクリックすると、入力した姓を有する患者に対する検査情報レコードのみが検査情報一覧表示エリア４１ｂに表示される。なお、患者の姓で絞り込む際に、入力欄４４ａに入力した文字列と完全に一致する姓を検索するようにしてもよいし、この文字列を含む姓を検索するようにしてもよい。
【００９２】
また、図７に示す検査情報一覧表示エリア４１ｂで、例えば検査済みか否かを示す検査状態表示欄４１ｃｃに対応したフィルタ・ボタン４１ｅｃをクリックすると、検査済みか否かの区別を絞り込み条件として設定するための図１１に示すような絞り込み条件設定画面４５が呼び出される。絞り込み条件設定画面４５の設定欄４５ａで検査済みか否かの区別をマウス２４でクリックして選択し、了解ボタン４５ｂをクリックすると、設定欄４５ａの設定と検査状態表示欄４１ｃｃの状態とが一致する検査情報レコードのみが検査情報一覧表示エリア４１ｂに表示される。
【００９３】
また、図７に示す検査情報一覧表示エリア４１ｂで、例えば生検の検査結果の状態の区別を示す検査状態表示欄４１ｃｆに対応したフィルタ・ボタン４１ｅｆをクリックすると、生検の検査結果の状態を絞り込み条件として設定するための図１２に示すような絞り込み条件設定画面４６が呼び出される。絞り込み条件設定画面４６の設定欄４６ａで生検の検査結果の状態の区別をマウス２４でクリックして選択し、了解ボタン４６ｂをクリックすると、設定欄４６ａの設定と検査状態表示欄４１ｃｆの状態とが一致する検査情報レコードのみが検査情報一覧表示エリア４１ｂに表示される。
【００９４】
また、図７に示す検査情報表示エリア４１は、指定したデータ項目をキーとして検査情報レコードの順番を並び替えることができるようになっている。検査情報表示エリア４１の２行目の各データ項目に対応した位置には、位置に対応したデータ項目をキーとして検査情報レコードを昇順や降順に並び替えるためのソート・ボタン４１ｅが配置されている。
【００９５】
ソート・ボタン４１ｅをクリックすると、ソート・ボタン４１ｅの位置に対応するデータ項目をキーとして例えば昇順に検査情報レコードが並び替えられ、ソート・ボタン４１ｅ上に、昇順で並び替えられていることを示す印例えば上矢印４１ｆ（▲）が表示される。ここで、再度同一のソート・ボタン４１ｅをクリックすると、降順に検査情報レコードが並び替えられ、上矢印４１ｆ（▲）であった表示が下矢印（▼）の表示に変更される。以降、同一のソート・ボタン４１ｅをクリックする毎に、昇順と降順とが切り替えられる。
【００９６】
図７に示すスケジュール一覧画面４１内の上方には、クリックすると患者情報一覧画面５１を呼び出す４１ｇａ、クリックすると検査情報編集画面６１を呼び出すボタン４１ｇｂ、クリックすると検査実行画面７１を呼び出すボタン４１ｇｃ、クリックすると画像選択画面８１を呼び出すボタン４１ｇｄ、クリックするとレポート作成画面９１を呼び出すボタン４１ｇｅが配置されている。
【００９７】
また、スケジュール一覧画面４１内の上方の右寄りの箇所には、クリックすると画像ファイリング装置２の動作が終了する終了ボタン４１ｈが配置されている。
【００９８】
また、スケジュール一覧画面４１内の下方には、新規に検査を予約する際にクリックすると検査情報編集画面６１が呼び出される新規ボタン４１ｉａ、既に登録されている検査情報レコードを編集する際に検査情報一覧表示エリア４１ｂで検査情報レコードを選択してからクリックすると検査情報編集画面６１が呼び出される編集ボタン４１ｉｂ、検査情報一覧表示エリア４１ｂで検査情報レコードを選択してからクリックすると選択した検査情報レコードを削除する削除ボタン４１ｉｃ、クリックすると検査情報の一覧が印刷される印刷ボタン４１ｊ、検査室の稼働状況を表示する際にクリックするボタン４１ｋ、資源スケジュールレコードを新規登録したり編集する際にクリックするボタン４１ｍが配置されている。
【００９９】
ボタン４１ｋをクリックすると、図１３に示す検査室稼働状況表示画面４７が呼び出される。
【０１００】
検査室稼働状況表示画面４７内には、各検査室の稼働率が、パーセンテージ表示４７ａ及び棒グラフ等のグラフ表示４７ｂで表示される。
【０１０１】
グラフ表示４７ｂは、稼働率の階級により色分けされて表示される。例えば、検査室の稼働率が１００％以上の場合には赤色、８０％以上１００％未満の場合には黄色、８０％未満の場合には青色といったように色分けされる。稼働率の階級と色分けとの関係は、説明しない手段により予め任意に設定しておくことができ、また、検査室別に稼働率のレベルと色分けとの関係を別々に設定しておくことができるようになっている。
【０１０２】
カレンダ呼び出しボタン４７ｃをクリックすると、カレンダ画面４３（図９参照）が呼び出され、このカレンダ画面４３で日付を選択すると、選択した日付における各検査室の稼働状況が表示されるようになっている。
【０１０３】
図７に示すスケジュール一覧画面４１のボタン４１ｍをクリックすると、図１４に示すような資源スケジュール編集画面４８が呼び出される。
【０１０４】
資源スケジュール一覧表示エリア４８ａには、資源スケジュールの一覧が表示される。資源スケジュール一覧表示エリア４８ａに表示される資源スケジュールレコードのデータ項目は、図７に示すスケジュール一覧画面４１の資源スケジュール一覧表示エリア４１ａに表示される内容と略同じである。但し、資源スケジュール一覧表示エリア４８ａでは、各資源スケジュールレコードの右寄りの箇所に表示区別欄４８ａａが配置されており、各資源スケジュールレコードをスケジュール一覧画面４１の資源スケジュール一覧表示エリア４１ａに表示するか否かの区別が表示されるようになっている。例えば、表示する場合には「×」印が記され、表示しない場合には空白となるようになっている。つまり、資源スケジュール一覧表示エリア４８ａには全ての資源スケジュールレコードが表示されており、表示区別欄４８ａａに「×」印が記されている資源スケジュールレコードのみがスケジュール一覧画面４１の資源スケジュール一覧表示エリア４１ａに表示されるようになっている。
【０１０５】
資源スケジュール編集画面４８内の下方には、新規の資源スケジュールレコードを登録する際にクリックする新規ボタン４８ｂａ、既に登録されている資源スケジュールレコードを編集する際にクリックする編集ボタン４８ｂｂ、資源スケジュール一覧表示エリア４８ａで資源スケジュールレコードを選択してからクリックすると選択した資源スケジュールレコードを消去する消去ボタン４８ｂｃ、クリックすると資源スケジュール編集画面４８を終了しスケジュール一覧画面４１に戻る終了ボタン４８ｃが配置されている。
【０１０６】
ここで、新規ボタン４８ｂａをクリックした場合、或いは資源スケジュール一覧表示エリア４８ａで資源スケジュールレコードを選択してから編集ボタン４８ｂｂをクリックした場合、資源スケジュールレコードを入力したり編集するための資源スケジュール編集エリア４８ｄへの入力が可能な図１５に示す状態となる。この時、既に登録されている資源スケジュールレコードを編集する場合には、既に登録されている資源スケジュールレコードの内容が資源スケジュールレコード編集エリア４８ｄ内の各欄に表示されるようになっている。
【０１０７】
なお、資源スケジュール一覧表示エリア４８ａと資源スケジュール編集エリア４８ｄとは排他的に動作し、図１４に示す資源スケジュール一覧表示エリア４８ａが有効な状態では、資源スケジュール編集エリア４８ｄ内に配置されているボタン類は操作できないことを示すために薄色で表示（図中では破線枠で表示）され、また逆に図１５に示す資源スケジュール編集エリア４８ｄが有効な状態では、資源スケジュール一覧表示エリア４８ａ内に配置されているボタン類は薄色で表示（図中では破線枠で表示）されるようになっている。
【０１０８】
資源スケジュール編集エリア４８ｄ内には、検査資源の名称を入力する入力欄４８ｅ、この検査資源の使用期間の予定を入力する入力欄４８ｆ、スケジュール一覧画面４１の資源スケジュール一覧表示エリア４１ａへ表示するか否かの表示区分を設定するする設定欄４８ｇ等が配置されている。
【０１０９】
検査資源の種類には、担当者、検査機材、検査室があり、入力欄４８ｅは、担当者の名称の入力欄４８ｅａ、検査機材の名称の入力欄４８ｅｂ、検査室の名称の入力欄４８ｅｃからなっている。入力欄４８ｅに入力する際には、これらの入力欄４８ｅａ、４８ｅｂ、４８ｅｃの内１つに検査資源の名称を入力する。これにより、画像ファイリング装置２は、登録されている資源スケジュールレコードの内から例えば検査室の使用予定の資源スケジュールレコードのみを抽出するといったこと等ができるようになっている。
【０１１０】
ところで、入力欄４８ｅに入力する検査資源の名称は、入力必須項目である。画像ファイリング装置２では、入力必須項目の入力欄のガイダンス表示は画面上で強調表示されるようになっている。例えば、入力必須項目でない入力欄のガイダンス表示は白色や黒色で表示し、入力必須項目の入力欄のガイダンス表示は黄色で表示することで、入力必須項目であることを強調するようになっている。
【０１１１】
例えば、新規ボタン４８ｂａをクリックした直後の状態では、入力欄４８ｅを構成する入力欄４８ｅａ、４８ｅｂ、４８ｅｃのガイダンス表示（図中では"Person"、"Scope"、"Room"の表示）は黄色で表示されている。
【０１１２】
ここで、例えば入力欄４８ｅａに検査資源の名称を入力すると、入力欄４８ｅａは入力済みになるため入力必須項目でなくなり、入力欄４８ｅａの案内表示は白色或いは黒色になる。また、入力欄４８ｅｂ、４８ｅｃも入力しなくてもよい状態となるため、入力欄４８ｅｂ、４８ｅｃの案内表示も白色或いは黒色になる。
【０１１３】
入力欄４８ｅａ、４８ｅｂ、４８ｅｃのそれぞれの右寄りの箇所には、それぞれの入力欄４８ｅａ、４８ｅｂ、４８ｅｃに対応した選択リストを呼び出す選択リスト画面呼び出しボタン４８ｅｄ、４８ｅｅ、４８ｅｆが配置されており、選択リスト内で検査資源の名称を選択することができるようになっている。
【０１１４】
使用期間の入力欄４８ｆは、使用開始日の入力欄４８ｆａ、使用開始時刻の入力欄４８ｆｂ、使用終了日の入力欄４８ｆｃ、使用終了時刻の入力欄４８ｆｄ等から構成されている。入力欄４８ｆａ、４８ｆｃの右寄りの箇所には、それぞれカレンダ呼び出しボタン４８ｆｅ、４８ｆｆが配置されている。
【０１１５】
また、資源スケジュール編集エリア４８ｄ内の下方には、クリックすると資源スケジュール編集エリア４８ｄに入力した情報を確定し資源スケジュールレコードを追加或いは更新する確定ボタン４８ｈ、クリックすると入力した資源スケジュールレコードの追加や更新を取り止め資源スケジュール編集エリア４８ｄでの編集を中止する中断ボタン４８ｉ、クリックすると資源スケジュール編集エリア４８ｄを初期状態つまり新規ボタン４８ｂａや編集ボタン４８ｂｂをクリックした直後の状態に戻し資源スケジュール編集エリア４８ｄへの入力を最初からやり直せる状態にするやり直しボタン４８ｊが配置されている。
【０１１６】
資源スケジュール編集エリア４８ｄ内の各入力欄にデータを入力し、確定ボタン４８ｈをクリックすると、資源スケジュールレコードが新規登録或いは更新される。
【０１１７】
図１６は、患者一覧画面５１の画面表示の例である。
【０１１８】
患者一覧画面５１には、患者情報の一覧を表示する患者一覧表示エリア５１ａが配置されている。
【０１１９】
本明細書では便宜的に、患者１人分の患者情報を患者情報レコードと呼ぶ。患者情報レコードは、患者一覧表示エリア５１ａの３行目以降に表示され、また、１つの患者情報レコードは、患者一覧表示エリア５１ａの１行に対応している。患者一覧表示エリア５１ａに表示される患者情報レコードには、例えば患者ＩＤ５１ａａ、患者の姓５１ａｂ、患者の名５１ａｃ、患者の性別５１ａｄ、患者の誕生日５１ａｅ等のデータ項目が含まれている。
【０１２０】
患者一覧表示エリア５１ａの１行目には、患者情報レコードの各データ項目に対応したフィルタ・ボタン５１ｂが配置されている。フィルタ・ボタン５１ｂの動作は、スケジュール一覧画面４１（図７参照）のフィルタ・ボタン４１ｄと同様である。
【０１２１】
また、患者一覧表示エリア５１ａの２行目には、患者情報レコードの各データ項目に対応したソート・ボタン５１ｃが配置されている。ソート・ボタン５１ｃの動作は、スケジュール一覧画面４１（図７参照）のソート・ボタン４１ｅと同様である。
【０１２２】
全患者表示ボタン５１ｄをクリックすると、全ての患者の患者情報レコードが患者一覧表示エリア５１ａに表示される。
【０１２３】
患者一覧画面５１内の下方には、患者を新規に登録する際にクリックする追加ボタン５１ｆ、患者一覧表示エリア５１ａで患者情報レコードを選択してからクリックすると選択した患者情報レコードを編集できる編集ボタン５１ｇ、クリックすると患者一覧画面５１を終了して患者一覧画面５１を呼び出した画面に戻る終了ボタン５１ｉ等が配置されている。
【０１２４】
追加ボタン５１ｆや編集ボタン５１ｇをクリックすると、図１７に示す患者情報レコード編集画面５２が呼び出される。
【０１２５】
なお、患者一覧画面５１がスケジュール一覧画面４１（図７参照）から呼び出された場合には、図１６に示すような終了ボタン５１ｉが表示されているが、後述する検査情報編集画面６１（図１８参照）から呼び出された場合には、終了ボタン５１ｉの代わりに、患者一覧画面５１で患者情報レコードを選択してクリックすると選択した患者情報レコードの内容を検査情報編集画面６１に渡し患者一覧画面５１を終了する図示しない了解ボタン、クリックすると検査情報編集画面６１に情報を渡さずに患者一覧画面５１を終了する図示しない中断ボタンが表示されるようになっている。
【０１２６】
図１７に示す患者情報編集画面５２は、新規に登録する患者情報レコードの内容を入力したり既存の患者情報レコードの内容を編集するための画面である。
【０１２７】
患者情報レコードの内容を編集する領域５２ａには、例えば患者ＩＤ等の識別番号類を編集する領域５２ｂ、患者の姓、名、誕生日、出生地、性別、年齢、住所、自宅電話番号、勤務先電話番号、勤務先ＦＡＸ番号等を編集する領域５２ｃ、患者に関する過去の処置履歴等といった医療情報の概要を編集する領域５２ｄ、主治医に関する情報を編集する領域５２ｅ、保険に関する情報を編集する領域５２ｆ等が含まれている。  患者情報編集画面５２内の下方には、クリックすると領域５２ａ内に記入されている内容の患者情報レコードを新規登録し領域５２ａ内に記入されている内容を初期化して次の新規登録を可能な状態にする追加ボタン５２ｇ、クリックすると患者情報編集画面５２が開かれた時点の状態に戻り編集をやり直すことができるやり直しボタン５２ｈ、クリックすると患者情報レコードの内容を印刷する印刷ボタン５２ｉ、クリックすると患者情報レコードを新規追加或いは更新し患者情報編集画面５２を閉じて患者一覧画面５１に戻る完了ボタン５２ｊ、クリックすると患者情報レコードの新規追加も更新もせずに患者情報編集画面５２を閉じて患者一覧画面５１に戻る中断ボタン５２ｋ等が配置されている。
【０１２８】
追加ボタン５２ｇを使用すると、クリックした際に患者情報レコードを登録し患者情報編集画面５２を閉じずに領域５２ａの内容を初期化するため、複数の患者の患者情報を連続して新規登録する際の操作性がよい。
【０１２９】
領域５２ａ内の例えば領域５２ｃ内の郵便番号を入力する入力欄５２ｍ及び患者の住所の市名を入力する入力欄５２ｎの右隣の箇所には、選択リスト画面呼び出しボタン５２ｐが配置されている。選択リスト画面呼び出しボタン５２ｐをクリックすると、対応する入力欄この例の場合は入力欄５２ｍ、５２ｎに入力するデータの選択リストが表示された図示しない選択リスト画面が開かれ、この選択リスト画面で入力欄５２ｍ、５２ｎに入力したいデータを選択すると、選択したデータが入力欄５２ｍ、５２ｎに入力されるようになっている。領域５２ａ内の他の箇所に配置されている選択リスト画面呼び出しボタン５２ｐや他の画面に配置されている選択リスト画面呼び出しボタンも同様の動作をする。
【０１３０】
図１８に示す検査情報編集画面６１は、検査情報レコードを新規登録したり更新するための画面である。
【０１３１】
検査情報編集画面６１には、検査情報レコードに含まれる各データ項目を入力するための領域６１ａが配置されている。
【０１３２】
領域６１ａ内には、例えば検査室名を入力する入力欄６１ａａ、検査日を入力する欄６１ａｂ、検査開始時刻を入力する欄６１ａｃ、検査終了時刻を入力する入力欄６１ａｄ、患者の姓名を入力する入力欄６１ａｅ、検査に関わる医師や看護婦といった担当者の名前を入力する入力欄を含む領域６１ａｇ、患者から検査承諾書を受け取った日付を入力する入力欄６１ａｈ、検査に使用する内視鏡の型番等を入力する入力欄を含む領域６１ａｉ、診断結果等を入力する入力欄６１ａｇ等が配置されている。
【０１３３】
検査情報編集画面６１内の下方には、クリックすると領域６１ａ内の情報を検査情報編集画面６１が呼び出された時点の状態に戻すやり直しボタン６１ｃ、クリックすると検査情報レコードを新規登録或いは更新し検査情報編集画面６１を終了する完了ボタン６１ｄ、クリックすると検査情報レコードを新規登録も更新もしないで検査情報編集画面６１を終了する中断ボタン６１ｅ等が配置されている。
【０１３４】
検査情報編集画面６１では、入力欄６１ａｃに検査開始時刻を入力すると、予め画像ファイリング装置２に記録してある標準的な検査所要時間が加算されて検査終了時刻が見積もられ、検査終了時刻が入力欄６１ａｄに自動的に入力されるようになっている。
【０１３５】
また、検査承諾書の受け取り日が入力欄６１ａｈに入力されると、以降スケジュール一覧画面４１（図７参照）の検査一覧表示エリア４１ｂに表示される該当する検査情報レコードの検査状態表示欄４１ｃｂには「×」印が記されるようになっている。
【０１３６】
また、患者の姓名を入力する入力欄４１ａｅの右横に配置されている選択リスト画面呼び出しボタン６１ｂをクリックすると、前記患者一覧画面５１が呼び出され、患者一覧画面５１で患者を選択すると、選択された患者の患者情報例えば患者の姓名等が検査情報編集画面６１の入力欄６１ａｅ等に埋め込まれるようになっている。
【０１３７】
図１９に示す検査実行画面７１は、内視鏡装置１を使用した検査を実行する際に、画像ファイリング装置２側で操作する画面である。
【０１３８】
検査実行画面の７１内には、内視鏡装置１で撮像している画像つまり内視鏡装置１のモニタ１５に表示されている画像と同じ画像を表示する内視鏡画像表示エリア７１ａが配置されている。
【０１３９】
内視鏡装置１で撮影した画像は、内視鏡装置１の画像処理部１４から出力され、画像ファイリング装置２のビデオ回路２１ｊで受け取られ、画像ファイリング装置２に伝えられている。
【０１４０】
検査実行画面７１内の下方には、検査の開始を画像ファイリング装置２に伝えるための検査開始ボタン７１ｂ、検査の終了を画像ファイリング装置２に伝えるための検査終了ボタン７１ｃ、クリックした時点の画像を画像ファイリング装置２に記録するための画像記録ボタン７１ｄ、検査実行中に検査情報を参照するための図２０に示す検査情報参照画面７２を呼び出すボタン７１ｅ、検査実行中に患者情報を参照するための図２１に示す患者情報参照画面７３を呼び出すボタン７１ｆ、検査実行画面７１を終了するための終了ボタン７１ｇ等が配置されている。  図２０に示す検査情報参照画面７２には、検査情報レコードに含まれる各データ項目を表示する領域７２ａ、クリックすると検査情報参照画面７２を閉じる終了ボタン７２ｂが配置されている。
【０１４１】
図２１に示す患者情報参照画面７３には、患者情報レコードに含まれる各データ項目を表示する領域７３ａ、クリックすると患者情報参照画面７３を閉じる終了ボタン７３ｂが配置されている。
【０１４２】
図１９に戻り、検査実行画面７１内には、画像記録ボタン７１ｄをクリックして記録された複数の画像のサムネイル画像つまり間引きして寸法を縮小した画像を表示するサムネイル画像表示エリア７１ｈが配置されている。
【０１４３】
検査開始ボタン７１ｂ及び検査終了ボタン７１ｃをクリックした時点の時刻は、それぞれ検査開始時刻及び検査終了時刻として画像ファイリング装置２に記録されるようになっている。
【０１４４】
検査開始ボタン７１ｂ、検査終了ボタン７１ｃを操作する代わりに、内視鏡スイッチ１２ｃを使用しても同様の操作を行うことができるようになっている。この際、内視鏡スイッチ１２ｃからの信号は、内視鏡装置１内の通信インタフェース部１４ｈ、画像ファイリング装置２内の通信インタフェース部２１ｉを介して、画像ファイリング装置２に伝えられている。
【０１４５】
一方、電子内視鏡装置１と画像ファイリング装置２との間の情報の伝送は、電子内視鏡１から画像ファイリング装置２に対してばかりでなく、画像ファイリング装置２から電子内視鏡装置１に対しても行われる。
【０１４６】
図２２ないし図２３は、内視鏡装置１のモニタ１５に表示される内視鏡モニタ画面７４の例である。
【０１４７】
図２２に示すように、内視鏡モニタ画面７４には、内視鏡装置１で得た被検部位の画像を表示する画像表示エリア７４ａ以外に、患者の性別、年齢等といった患者情報を表示する患者情報表示エリア７４ｂが配置されている。患者情報表示エリア７４ｂに表示される患者情報は、画像ファイリング装置２内の通信インタフェース部２１ｉ、内視鏡装置１内の通信インタフェース部１４ｈを介して、内視鏡装置１に伝送された情報である。
【０１４８】
また、検査実行画面７１が呼び出された際に、画像ファイリング装置２は内視鏡装置１との通信が可能であるか否かを確認するようになっている。ここで、内視鏡装置１と画像ファイリング装置２との間の通信が可能な場合には、通信可能状態である旨の情報が画像ファイリング装置２から内視鏡装置１に対して伝送され、内視鏡装置１は、通信可能状態である旨のメッセージ７４ｃを内視鏡モニタ画面７４に表示するようになっている。
【０１４９】
また、検査実行画面７１において検査開始ボタン７１ｂがクリックされ、検査が開始された状態になると、検査が開始された旨の情報が画像ファイリング装置２から内視鏡装置１に伝送され、内視鏡装置１は、検査実行中である旨の図２３に示すようなメッセージ７４ｄを内視鏡モニタ画面７４に表示するようになっている。
【０１５０】
また、検査実行画面７１において検査終了ボタン７１ｃがクリックされ、検査が終了した状態になると、検査が終了した旨の情報が画像ファイリング装置２から内視鏡装置１に伝送され、内視鏡装置１は、検査実行中である旨の図２３に示すようなメッセージ７４ｄを内視鏡モニタ画面７４から消し、通信可能状態である旨の図２２に示すようなメッセージ７４ｃを再び内視鏡モニタ画面７４に表示するようになっている。
【０１５１】
ところで、図１９に示す画像記録スイッチ７１ｄをクリックする等して内視鏡画像表示エリア７１ａに表示されている画像を記録する際、記録する画像は内視鏡画像表示エリア７１ａに表示されている画像の全域を記録するばかりでなく、関心領域のみを記録することができるようになっている。つまり、関心領域の範囲設定等といった画像記録時の画像記録動作の設定を行えるようになっている。検査実行画面７１内のボタン７１ｉをクリックすると、画像記録動作の設定を行うための図２４に示す画像記録動作設定画面７５が呼び出される。
【０１５２】
画像ファイリング装置２は、記録する画像の種類によって複数の異なる画像記録動作を設定することができ、これら複数の異なる画像記録動作にそれぞれ異なる名称を付けて識別する。
【０１５３】
新規に画像記録動作を設定して登録する際には、画像記録動作設定画面７５の入力欄７５ａに新規の名称を入力する。また、既存の画像記録動作を編集したり削除する際には、入力欄７５ａに既存の画像記録動作の名称を入力する。この時、入力欄７５ａの右脇に配置されているボタン７５ａａをクリックすると、既存の画像記録動作の名称の一覧が表示され、一覧の内から画像記録動作の名称を選択することで、入力欄７５ａに画像記録動作の名称が入力されるようになっている。
【０１５４】
また、画像記録動作設定画面７５には、関心領域の範囲の座標を設定する入力欄７５ｂ、通信プロトコルや通信ポートを選択して入力する入力欄７５ｃ、画像を記録する際の圧縮率を選択して入力する入力欄７５ｄ等が配置されている。圧縮率は、例えば非圧縮、高圧縮率、標準圧縮率、低圧縮率の４段階から選択できるようになっている。
【０１５５】
関心領域の範囲の座標を入力欄７５ｂに入力すると、図２５に示すように、検査実行画面７１の内視鏡画像表示エリア７１ａ内に、関心領域の範囲を示す枠線７１ａａが表示されるようになっている。
【０１５６】
また、ボタン７５ｅをクリックすると、画像記録動作設定画面７５で現在設定している設定が画像記録動作の標準設定となる。
【０１５７】
画像記録動作設定画面７５内の下方には、クリックすると画像記録動作設定画面７５で設定した画像記録動作設定を保存する保存ボタン７５ｆ、クリックすると入力欄７５ａに表示されている名称で既に保存されている画像記録動作設定を削除する削除ボタン７５ｇ、クリックすると画像記録動作設定画面７５を閉じて検査実行画面７１に戻る終了ボタン７５ｈが配置されている。
【０１５８】
図２６に示すフローチャートを使用して、検査実行の動作の流れを説明する。なお、図中の符号Ｓ２１ないしＳ３８は処理ステップに付した符号である。
【０１５９】
検査実行画面７１が呼び出されると、図中のステップＳ２１に示すように、検査実行の動作が開始する。
【０１６０】
検査実行の動作が開始すると、ステップＳ２２に示すように、画像ファイリング装置２が内視鏡装置１と通信可能か否かを確認する。
【０１６１】
ステップＳ２２において通信可能でない状態の場合には、ステップ２３に示すように検査実行を終了つまり検査実行画面７１を終了する。
【０１６２】
また、ステップＳ２２において通信可能な状態の場合には、ステップ２４に示すように、画像ファイリング装置２に記録されている患者情報が内視鏡装置１に伝送され、内視鏡モニタ画面７４に患者情報７４ｂが表示される（図２２参照）。
【０１６３】
次に、ステップＳ２５に示すように、内視鏡モニタ画面７４に通信可能状態である旨のメッセージ７４ｃが表示される（図２２参照）。
【０１６４】
次に、ステップＳ２６に示すように、内視鏡スイッチ１２ｃ及び画像ファイリング装置２のマウス２４の入力待ち状態となる。
【０１６５】
ステップＳ２６の入力待ち状態で、ステップＳ２７に示すようにマウス２４で検査実行画面７１の終了ボタン７１ｇがクリックされると、終了処理Ｓ２８が実行され、ステップＳ２３に示すように検査実行画面７１を終了する。終了処理Ｓ２８は、例えば内視鏡モニタ画面７４上の患者情報７４ｂを消去したり、内視鏡モニタ画面７４上のメッセージ７４ｃを消去する処理等である。
【０１６６】
ステップＳ２６の入力待ち状態で、ステップＳ２９に示すようにマウス２４で検査実行画面７１の検査開始ボタン７１ｂがクリックされると、検査実行中状態になりステップＳ３１に処理が進められる。
【０１６７】
また同様に、ステップＳ２６の入力待ち状態で、ステップＳ３０に示すように検査開始を指示する内視鏡スイッチ１２ｃのレリーズスイッチが押されると、検査実行中状態になりステップＳ３１に処理が進められる。
【０１６８】
検査実行中状態になると、ステップＳ３１に示すように、内視鏡モニタ画面７４に検査実行中である旨のメッセージ７４ｄが表示される（図２３参照）。また、ステップＳ３１以降の検査実行中状態の間は、検査実行画面７１の内視鏡画像表示エリア７１ａに内視鏡画像が表示されるようになる。
【０１６９】
次に、ステップＳ３２に示すように、内視鏡スイッチ１２ｃ及び画像ファイリング装置２のマウス２４の入力待ち状態となる。
【０１７０】
ステップＳ３２の入力待ち状態で、ステップＳ３３に示すようにマウス２４で検査実行画面７１の画像記録ボタン７１ｄがクリックされると、画像記録処理Ｓ３４が実行され、ステップＳ３２の入力待ち状態になる。
【０１７１】
また同様に、ステップＳ３２の入力待ち状態で、ステップＳ３５に示すように画像記録を指示する内視鏡スイッチ１２ｃが押されると、画像記録処理Ｓ３４が実行され、ステップＳ３２の入力待ち状態になる。
【０１７２】
画像記録処理Ｓ３４は、内視鏡画像を画像ファイリング装置２に記録し、記録した画像のサムネイル画像を検査実行画面７１のサムネイル画像表示エリア７１ｈに表示する等の処理である。
【０１７３】
また、ステップＳ３２の入力待ち状態で、ステップＳ３６に示すようにマウス２４で検査実行画面７１の検査終了ボタン７１ｃがクリックされると、検査実行中状態が解除され、ステップＳ２５に処理が戻される。
【０１７４】
また同様に、ステップＳ３２の入力待ち状態で、ステップＳ３７に示すように検査終了を指示する内視鏡スイッチ１２ｃが押されると、検査実行中状態が解除され、ステップＳ２５に処理が戻される。
【０１７５】
図２７に示す検査後処理画面８１は、検査実行で得た内視鏡画像の内から検査レポートで参照する内視鏡画像を選択する等の検査後処理を行うための画面である。
【０１７６】
検査後処理画面８１のサムネイル画像表示エリア８１ａには、検査実行で得た全ての内視鏡画像のサムネイル画像が表示される。
【０１７７】
サムネイル画像表示エリア８１ａに表示されているサムネイル画像の内１つのサムネイル画像上をマウス２４でドラッグし、レポート画像選択エリア８１ｂ上でドロップすると、サムネイル画像に対応する内視鏡画像がレポート画像選択エリア８１ｂに表示される。このレポート画像選択エリア８１ｂは、検査レポートで参照する内視鏡画像を選択するための領域である。
【０１７８】
なお、ドラッグとは、画面上の領域にマウス２４でカーソルを移動させ、マウス２４に配設されている押しボタンを押したまま離さない状態を維持する操作を意味する。また、ドロップとは、マウス２４でドラッグした後、マウス２４に配設されている押しボタンを押したまま、マウス２４のカーソルを移動させ、マウス２４の押しボタンを離す操作を意味する。マウス２４のドラッグ及びドロップの操作を行うことで、容易にサムネイル画像表示エリア８１ａに表示されている内視鏡画像を選択してレポート画像選択エリア８１ｂに表示させることができるようになっている。
【０１７９】
また、レポート画像選択エリア８１ｂに表示されている画像の内１つの画像をドラッグして、レポート画像選択エリア８１ｂ外でドロップすることにより、ドラッグした画像の選択を解除することができるようになっている。
【０１８０】
また、レポート画像選択エリア８１ｂ内の各々の画像の下部には、注釈文を入力できる入力欄８１ｃが配置されている。
【０１８１】
また、サムネイル画像表示エリア８１ａからドラッグしてレポート画像選択エリア８１ｂにドロップした内視鏡画像は、レポート画像選択エリア８１ｂの左上側から順次詰めて表示されるようになっている。
【０１８２】
検査後処理画面８１内の右方には、検査情報の一部が表示され、検査情報を編集することができるようになっている。
【０１８３】
また、１人の患者に対して行われた検査は１回に限らず複数回行われている場合がある。複数の検査で得られた画像がある場合、サムネイル画像表示エリア８１ａ上部に配置された検査日付を記したボタンである検査日付タブ８１ａａが複数表示され、参照したい検査の検査日付が記された検査日付タブ８１ａａをクリックすると、サムネイル画像表示エリア８１ａには対応する検査日付の検査で得られた画像が表示されるようになっている。
【０１８４】
検査後処理画面８１内の下方には、クリックすると検査情報参照画面７２（図２０参照）を呼び出すボタン８１ｄ、クリックすると患者情報参照画面７３（図２１参照）を呼び出すボタン８１ｅ、クリックすると後述する図２８に示す人体図形画面８２を呼び出すボタン８１ｆ、クリックすると検査後処理画面８１を終了するボタン８１ｇ等が配置されている。
【０１８５】
検査後処理画面８１内のサムネイル画像表示エリア８１ａの右方には、クリックすると外部画像を読み込む指定をするための図示しない画面が開き外部画像を読み込んでサムネイル画像表示エリア８１ａに表示することができるボタン８１ｈａ、クリックすると外部へ画像を書き出す指定をするための図示しない画面が開き外部へ画像を書き出すことができるボタン８１ｈｂ、サムネイル画像表示エリア８１ａ内のサムネイル画像を選択してからクリックすると選択したサムネイル画像をサムネイル画像表示エリア８１ａ内の表示から削除するボタン８１ｈｃ、クリックすると後述する図２９に示す画像保存画面８３を呼び出すボタン８１ｈｄ、サムネイル画像表示エリア８１ａでサムネイル画像を選択してからクリックすると選択したサムネイル画像に対応する内視鏡画像を編集する図３２に示す画像編集画面８４を呼び出すボタン８１ｈｅ、画像を分類する図３８に示す分類画面８７を呼び出すボタン８１ｈｆ等が配置されている。
【０１８６】
ボタン８１ｈａを使用して読み込まれサムネイル画像表示エリア８１ａ内に表示されたサムネイル画像には、外部画像を参照している旨のメッセージ８１ｉが表示される。
【０１８７】
図２８に示すように、人体図形画面８２には、人体の部分の概略図形を表示する人体図形表示エリア８２ａが配置されている。図の例では、人体図形表示エリア８２ａに、下部消化器官の概略図形が表示されている。
【０１８８】
また、人体図形画面８２内の右方には、検査後処理画面８１のサムネイル画像表示エリア８１ａからレポート画像選択エリア８１ｂへ選択された複数の画像例えば６つの画像を表示する画像表示エリア８２ｂが配置されている。画像表示エリア８２ｂの各画像には、上から順番に「１」、「２」、…、「６」といった番号８２ｃが付されて表示されている。
【０１８９】
画像表示エリア８２ｂの内１つの画像上でドラッグし、人体図形表示エリア８２ａ内でドロップすると、人体図形表示エリア８２ａ内のドロップした箇所に、画像表示エリア８２ｂ内のドラッグした画像に対応した番号８２ｃと同じ番号８２ｃ’が表示されるようになっている。
【０１９０】
これにより、画像表示エリア８２ｂに表示されている各画像が、人体図形表示エリア８２ａに表示されている概略図形のどの箇所の画像であるかを対応付けることができるようになっている。
【０１９１】
ボタン８２ｄをクリックすると、人体図形表示エリア８２ａに表示されている図形は、検査レポートに綴じ込まれるようになっている。
【０１９２】
また、人体図形画面８２内の下方には、クリックすると人体図形表示エリア８２ａに表示されている図形を印刷する印刷ボタン８２ｅ、クリックすると人体図形表示エリア８２に表示する人体の概略図形を選択する図示しない画面を呼び出すボタン８２ｆ、クリックすると人体図形画面８２を閉じる終了ボタン８２ｇが配置されている。
【０１９３】
図２９に示す画像保存画面８３は、画像をハードディスク２１ｅ等の記憶装置や図示しない外部記憶装置等のディレクトリに保存する操作を行うための画面である。
【０１９４】
画像保存画面８３には、画像を保存するディレクトリの構成を表示するディレクトリ表示エリア８３ａが配置されており、このディレクトリ表示エリア８３ａで画像を保存するディレクトリを選択する。
【０１９５】
また、保存する画像ファイル形式を設定する設定欄８３ｂに画像ファイル形式を設定する。画像ファイル形式としては、例えば公知のＢＭＰ（ビットマップ）形式や公知のＪＰＥＧ形式等を設定できるようになっている。
【０１９６】
図３０に示すように、画像保存画面８３は、検査後処理画面８１と同時に表示されており、検査後処理画面８１のサムネイル画像表示エリア８１ａから画像をドラッグして選択し、画像保存画面８３上にドロップすると、選択した画像の画像ファイルが、設定欄８３ｂで設定された画像ファイル形式で、ディレクトリ表示欄８３ａで指定したディレクトリに保存される。
【０１９７】
終了ボタン８３ｃをクリックすると、画像保存画面８３が閉じられる。
【０１９８】
図３１ないし図３２は、選択した画像を編集するための画像編集画面８４の画面表示の例である。
【０１９９】
画像編集画面８４を呼び出すと、選択された画像が画像表示エリア８４ａに表示される。図３１は被検部位１１のみの画像を表示した例であり、図３２は患者情報を含む画像を表示した例である。
【０２００】
画像表示エリア８４ａ上で画像を編集し、保存ボタン８４ｂをクリックすると、選択された画像は画像表示エリア８４ａ上に表示されている画像に更新される。
【０２０１】
また、終了ボタン８４ｃをクリックすると画像編集画面８４が終了し、検査後処理画面８１に戻る。
【０２０２】
また、画像編集画面８４には、画像を編集する機能を呼び出すための複数のボタン８４ｄが配置されている。画像を編集する機能には、例えば画像の拡大、縮小、画像内への直線・長方形・楕円形等の図形の描画、画像内の指定領域の消去、画像内への文字列の書き込み等の機能が含まれる。
【０２０３】
また、画像内へ図形を描画する際の図形の線種を選択設定する設定欄８４ｅが配置されている。設定欄８４ｅでは、例えば線の太さを選択したり、実線・破線・点線の種別を選択することができる。
【０２０４】
また、図形を描画する際の色を指定することができる。現在指定されている色は、色表示エリア８４ｆに表示される。図形の描画は、マウス２４に配設されている左右２個の図示しない押しボタンを使用して行う。マウス２４の左右２個の押しボタンにはそれぞれ別の色を指定することができ、左右の押しボタンに割り当てられている色は、色表示エリア８４ｆ内の色表示エリア８４ｆａ、８４ｆｂにそれぞれ表示される。
【０２０５】
図形を描画する際の色は、色選択エリア８４ｇに表示されている複数の色の内から選択して指定することができる。この際、色選択エリア８４ｇの内選択したい色の表示されている領域上にマウス２４のカーソルを移動し、この色を割り当てたい側のマウス２４の押しボタンをクリックすることにより、クリックした側の押しボタンに色が割り当てられるようになっている。
【０２０６】
また、画像編集画面８４には、画像表示エリア８４ａに表示されている画像の色調を変更するための後述する図３３に示す色調設定画面８５を呼び出すボタン８４ｈ、書き込む文字列の文字種を選択するための図示しない文字種設定画面を呼び出すボタン８４ｉ、画像表示エリア内の２点間の距離を測定するための後述する図３５に示す距離測定画面８６を呼び出すボタン８４ｊ等が配置されている。
【０２０７】
図３３に示す色調設定画面８５には、画像のコントラストを設定する設定欄８５ａ、赤・緑・青の色のバランスを設定する設定欄８５ｂが配置されており、これら設定欄８５ａ、８５ｂの設定に応じて色調の調整された画像が画像表示エリア８５ｃに表示されるようになっている。
【０２０８】
また、ボタン８５ｄをクリックすると、設定欄８５ａ、８５ｂの設定は、予め決められた標準設定に設定されるようになっている。
【０２０９】
設定欄８５ａ、８５ｂを設定し、了解ボタン８５ｅをクリックすると、色調設定画面８５が閉じられ、色調設定画面で設定した色調が画像編集画面８４の画像表示エリア８４ａに表示されている画像に反映される。
【０２１０】
また、中断ボタン８５ｆをクリックすると、色調設定画面８５で設定した内容は破棄され、色調設定画面８５が閉じられる。
【０２１１】
図３４ないし図３７を使用して、画像編集画面８４（図３１参照）の画像表示エリア８４ａ内の２点間の距離を測定する距離測定画面８６に関わる説明をする。
【０２１２】
距離測定画面８６で測定できる距離の値は、診断の種類によっては精度が不十分である場合がある。そこで、画像編集画面８４でボタン８４ｊをクリックすると、「測定した距離の値はあくまでも参考値として使用すべきである。」という旨の操作者に注意を促すメッセージの記された図３４に示す注意画面８６ｗが表示され、この注意画面８６ｗで了解ボタン８６ｗａをクリックすると図３５に示す距離測定画面８６へ画面遷移する。
【０２１３】
図３５に示すように、距離測定画面８６には、距離を測定する基準となる２点を設定する際にクリックするボタン８６ａ、基準となる２点間の距離を入力する入力欄８６ｂ、測定対象である２点間の距離を測定する際にクリックするボタン８６ｃ、測定対象である２点間の距離を表示する表示欄８６ｄ、クリックすると距離測定画面８６を閉じるボタン８６ｅ等が配置されている。
【０２１４】
図３６ないし図３７を使用して、距離測定画面８６の操作手順を説明する。
【０２１５】
図３６に示すような画面表示の状態で、画像編集画面８４の画像表示エリア８４ａ上でマウス２４を操作して基準となる２点を指定する。２点を指定する際には、例えば、基準となる２点の内一方の点でマウス２４の押しボタンを押し、押しボタンを離さずにもう一方の点までマウス２４を移動してから押しボタンを離す等といった操作で２点を指定することができる。
【０２１６】
基準となる２点を指定したら、ボタン８６ａをクリックし、基準となる２点の距離を入力欄８６ｂに入力する。
【０２１７】
次に、図３７に示すような画面表示の状態で、画像編集画面８４の画像表示エリア８４ａ上でマウス２４を操作して測定対象である２点を指定する。２点を指定する操作は基準となる２点を指定する操作と同様である。ここで、ボタン８６ｃをクリックすると、表示欄８６ｄに測定対象の２点間の距離が表示される。
【０２１８】
検査後処理画面８１（図２７参照）のサムネイル画像表示エリア８１ａで内視鏡画像を選択し、ボタン８１ｈｆをクリックすると、選択された画像を分類するための図３８に示す画像分類画面８７が呼び出される。
【０２１９】
ここで、選択リスト画面呼び出しボタン８７ａをクリックすると、画像分類名を選択するための後述する画像分類一覧画面８８（図３９参照）が呼び出され、この画像分類一覧画面８８で画像分類名を選択すると、選択した画像分類名が画像分類名表示欄８７ｂに表示される。
【０２２０】
ここで、完了ボタン８７ｃをクリックすると、検査後処理画面８１で選択した画像が画像分類画面８７の画像分類名表示欄８７ｂに表示された画像分類名に分類されるようになっている。
【０２２１】
図３９に示すように、画像分類一覧画面８８には、画像分類名の一覧を表示する画像分類一覧表示エリア８８ａが配置されている。
【０２２２】
画像分類一覧表示エリア８８ａの１行目及び２行目には、フィルタ・ボタン８８ｂ及びソート・ボタン８８ｃが配置されており、スケジュール一覧画面４１（図７参照）のフィルタ・ボタン４１ｄ及びソート・ボタン４１ｅと同様に、画像分類一覧表示エリア８８ａに表示される画像分類名を絞り込んだり、並べ替えたりすることができるようになっている。
【０２２３】
また、全レコード表示ボタン８８ｄをクリックすると、画像分類一覧表示エリア８８ａには、登録されている全ての画像分類名が表示されるようになっている。
【０２２４】
画像分類名一覧表示エリア８８ａで画像分類名を選択すると、選択された画像分類名が画像分類名表示欄８８ｇに表示され、ここで了解ボタン８８ｅをクリックすると、画像分類一覧画面８８を終了し、選択された画像分類名を前記画像分類画面８７の画像分類名表示欄８７ｂに表示するようになっている。
【０２２５】
また、中断ボタン８８ｆをクリックすると、画像分類名の選択を取り止め、画像分類一覧画面８８を終了するようになっている。
【０２２６】
また、画像分類一覧表示エリア８８ａで画像分類名を選択すると、選択された画像分類名が画像分類名表示欄８８ｇに表示され、ここで削除ボタン８８ｈをクリックすると、選択された画像分類名を削除するようになっている。
【０２２７】
また、画像分類一覧表示エリア８８ａで画像分類名を選択すると、選択された画像分類名が画像分類名表示欄８８ｇに表示され、ここで画像分類名表示欄８８ｇに表示された画像分類名を編集し、編集ボタン８８ｉをクリックすると、画像分類名が変更されるようになっている。
【０２２８】
また、画像分類名表示欄８８ｇに新規の画像分類名を入力し、新規追加ボタン８８ｊをクリックすると、画像分類名表示欄８８ｇに表示されている画像分類名が新規に追加登録されるようになっている。
【０２２９】
図４０に示すように、検査後処理画面８１で印刷ボタン８１ｊをクリックすると、１枚の紙面に印刷する画像数を選択するための印刷画像数選択画面８１ｊａが表示され、ここで画像数を選択すると、この印刷画像数選択画面８１ｊａが閉じられて、紙面に印刷される画像を選択し紙面に印刷される画像の配置を印刷前に画面上で確認するための図４１に示す印刷確認画面８９が表示される。
【０２３０】
ここで、サムネイル画像表示エリア８１ａから画像をドラッグすることで画像を選択し、印刷確認画面８９にドロップすると、この画像が印刷確認画面８９の画像表示エリア８９ｂ上に表示され、この画像は印刷の対象として選択される。この時、画像表示エリア８９ｂ上には、印刷する紙面上の画像の配置と同じ配置で画像が表示される。
【０２３１】
印刷する画像を選択し、印刷確認画面８９で了解ボタン８９ｃをクリックすると、画像が印刷され、印刷確認画面８９が閉じられ、検査後処理画面８１に戻る。
【０２３２】
また、印刷確認画面８９で中断ボタン８９ｄをクリックすると、画像は印刷されずに、印刷確認画面８９が閉じられ、検査後処理画面８１に戻る。
【０２３３】
図４２、図４３、図４４にそれぞれ示すレポート作成画面９１、９２、９３は、検査レポートを作成・編集するために使用する画面であり、スケジュール一覧画面４１（図７参照）でボタン４１ｇｅをクリックすると先ずレポート作成画面９１が呼び出される。
【０２３４】
図４２に示すように、レポート作成画面９１には、検査後処理画面８１（図２７参照）で選択された複数の画像のサムネイル画像を表示する画像表示エリア９１ａが配置されており、操作者はこれらの内視鏡画像を参照しながら、体系的所見入力エリア９１ｂに所見を入力するようになっている。
【０２３５】
体系的所見入力エリア９１ｂには、体内の着目している体内部位等の名称を一覧表示する体内部位等一覧表示エリア９１ｃが配設されており、この体内部位等一覧表示エリア９１ｃで着目している体内部位等の名称を選択することができるようになっている。
【０２３６】
また、体内部位等一覧表示エリア９１ｃで選択した体内部位等に、より詳細な体内部位が含まれている場合には、より詳細な体内部位等の名称が体内部位等一覧表示エリア９１ｄに表示されるようになっており、着目している体内部位等の名称を選択することができるようになっている。
【０２３７】
また、体内部位等一覧表示エリア９１ｃ、９１ｄで体内部位等を選択すると、選択した体内部位等に関わる属性が属性一覧表示エリア９１ｅに表示され、着目する属性を選択できるようになっている。体内部位等に関わる属性とは、体内部位等の例えば色、形状、腫れ具合等のことである。
【０２３８】
また、属性一覧表示エリア９１ｅで着目する属性を選択すると、この属性の属性値の選択肢が属性値一覧表示エリア９１ｆに表示され、属性値を選択することができるようになっている。例えば属性が色である場合、属性値には例えば赤、青、黒、等が含まれる。
【０２３９】
従って、体内部位等一覧表示エリア９１ｃ、９１ｄで選択した体内部位に関わる属性一覧表示エリア９１ｅで選択した属性が属性値一覧表示エリア９１ｆで選択した属性値の状態である旨の所見を体系的に入力することができるようになっている。
【０２４０】
ここで、新規追加ボタン９１ｇをクリックすると、体内部位等一覧表示エリア９１ｃ、９１ｄ、属性一覧表示エリア９１ｅ、属性値一覧表示エリア９１ｆでの選択により得られた主語や述語から自動生成された所見文が所見文一覧表示エリア９１ｈに追加されるようになっている。
【０２４１】
また、所見文一覧表示エリア９１ｈで所見文を選択し、削除ボタン９１ｉをクリックすると、選択した所見文が削除されるようになっている。
【０２４２】
また、体内部位等は、体内部位等一覧表示エリア９１ｃ、９１ｄの両方を使用して選択するばかりでなく、体内部位等一覧表示エリア９１ｃで選択した体内部位等によっては、体内部位等一覧表示エリア９１ｃのみで選択するようになっている。
【０２４３】
また、属性一覧表示エリア９１ｅで選択した属性によっては、属性値一覧表示エリア９１ｆで属性値を選択する代わりに、任意の文を所見文入力エリア９１ｊに入力するようになっている。
【０２４４】
また、体内部位等一覧表示エリア９１ｃ、９１で選択した体内部位等によっては、属性一覧表示エリア９１ｅや属性値一覧表示エリア９１ｆで属性や属性値を選択する代わりに、任意の文を所見文入力エリア９１ｊに入力するようになっている。
【０２４５】
また、体内部位等一覧表示エリア９１ｃ、９１ｄ、属性一覧表示エリア９１ｅ、属性値一覧表示エリア９１ｆのいづれも使用せずに、任意の文を所見文入力エリア９１ｊに入力してもよい。この場合、任意文追加ボタン９１ｋをクリックすると、所見文入力エリア９１ｊの所見文が、所見文一覧表示エリア９１に追加されるようになっている。
【０２４６】
また、音声認識ボタン９１ｍをクリックすると、図示しないマイクから入力された音声が音声認識され、所見文入力エリア９１ｊに入力されるようになっている。
【０２４７】
レポート作成画面９１内の下方には、クリックするとレポート作成画面９２へ画面が切り替わるボタン９１ｐ、クリックするとレポート作成画面９３へ画面が切り替わるボタン９１ｑ、クリックすると所見を音声で記録するための画面を呼び出すボタン９１ｒ、クリックするとレポート作成画面を終了してスケジュール一覧画面４１（図７参照）へ戻る終了ボタン９１ｓ、レポート作成画面９１、９２、９３で共通して使用するテンプレートを選択するテンプレート選択欄９１ｔ等が配置されている。
【０２４８】
なお、テンプレートには、作成する検査レポートのレイアウトを示す情報、検査情報編集画面６１等で入力された検査情報の検査レポートへの挿入箇所を示す情報、検査後処理画面８１で選択された内視鏡画像の検査レポートへの挿入箇所を示す情報、レポート作成画面９２や後述するレポート作成画面で作成した所見文の検査レポート内への挿入箇所を示す情報、その他画像ファイリング装置２が有する情報の検査レポート内への挿入箇所を示す情報等が含まれている。
【０２４９】
図４３に示すように、レポート作成画面９２には、レポート作成画面９１（図４２参照）の画像表示エリア９１ａと同様に画像表示エリア９２ａが配置されており、操作者はこれらの内視鏡画像を参照しながら、任意所見入力エリア９２ｂに所見を入力するようになっている。
【０２５０】
任意所見入力エリア９２ｂには、所見文を入力する所見入力欄９２ｂが配置されている。この所見入力欄９２ｂに所見を入力し、追加ボタン９２ｃをクリックすると、例えば所見に付す名称である所見名を入力するための図示しない画面が現れ、この所見名を入力するための画面で所見名を入力すると、この所見名が所見名一覧表示エリア９２ｄに追加されるようになっている。
【０２５１】
また、所見名一覧表示エリア９２ｄで所見名を選択し、削除ボタン９２ｅをクリックすると、選択した所見名が所見名一覧表示エリア９２ｄから削除され、この所見名に対応する所見が削除されるようになっている。
【０２５２】
前記テンプレートには、所見名に従い或いは所見名一覧表示エリア９２内の所見名の順番に従い検査レポート内への挿入箇所を決定する情報が含まれており、このレポート作成画面９２で入力した所見は検査レポート内へ挿入されるようになっている。
【０２５３】
また、音声認識ボタン９２ｉをクリックすると、図示しないマイクから入力された音声が音声認識され、所見文入力エリア９２ｂに入力されるようになっている。
【０２５４】
レポート作成画面９２内の下方には、クリックするとレポート作成画面９１へ画面が切り替わるボタン９２ｇ、クリックするとレポート作成画面９３へ画面が切り替わるボタン９２ｈ、クリックすると所見を音声で記録するための画面を呼び出すボタン９２ｉ、クリックするとレポート作成画面を終了してスケジュール一覧画面４１（図７参照）へ戻る終了ボタン９２ｊ、レポート作成画面９１、９２、９３で共通して使用するテンプレートを選択するテンプレート選択欄９２ｔ等が配置されている。
【０２５５】
図４４に示すレポート作成画面９３のレポート編集エリア９３ａには、画像ファイリング装置２が有する検査情報、内視鏡画像、レポート作成画面９１、９２で作成した所見文等がテンプレートに含まれた情報に従い自動的に配置された検査レポートが表示される。
【０２５６】
レポート編集エリア９３ａ内では、公知のワードプロセッサと同様に、文章の追加、削除、編集、移動、複写等の操作を行えるようになっている。また、レポート作成画面９３には、公知のワードプロセッサと同様に、使用する文字のフォントの種類や大きさを設定するためのフォント選択欄９３ｂ、文書を編集するための例えば公知の文字飾り機能や公知の綴りチェック機能等といった各種機能を呼び出す複数の機能ボタン９３ｃ等が配置されている。また、検査レポートに張り付けられている画像の配置個所を移動したり、拡大・縮小することもできる。
【０２５７】
また、画像ファイリング装置２が有する任意の情報を参照して検査レポートの任意の箇所に挿入することができるようになっている。ボタン９３ｄをクリックすると、画像ファイリング装置２が有する情報の名称の一覧を表示する一覧画面が表示され、この一覧画面で情報の名称を選択すると、選択された情報の名称に対応する情報がレポート編集エリア９３ａ内のカーソル位置に挿入されるようになっている。
【０２５８】
レポート作成画面９３内の下方には、検査レポートを印刷する際にクリックする印刷ボタン９３ｅ、検査レポートの文書ファイルを例えばリッチテキスト形式等でハードディスク２１ｅといった記憶装置や図示しない外部記憶装置へ保存する際にクリックする保存ボタン９３ｆ、クリックするとレポート作成画面９１へ画面が切り替わるボタン９３ｇ、クリックすると所見を音声で記録するための画面を呼び出すボタン９３ｉ、クリックするとレポート作成画面を終了してスケジュール一覧画面４１（図７参照）へ戻る終了ボタン９３ｊ等が配置されている。
以上述べた本実施の形態の特徴を以下に挙げる。
【０２５９】
本実施の形態の内視鏡画像ファイリングシステムは、
内視鏡画像を表示するモニタ１５を有する内視鏡装置１と、
前記内視鏡装置に設けられたスイッチである内視鏡スイッチ１２ｃと、
前記内視鏡装置１と接続し前記内視鏡装置１で得た前記内視鏡画像を記録する画像ファイリング装置２と、
を備えた内視鏡画像ファイリングシステムであって、
前記内視鏡装置１に、前記内視鏡スイッチ１２ｃの状態を含む情報を前記画像ファイリング装置２に送信する通信インタフェース部１４ｈ等からなる第１の送信手段と、
前記画像ファイリング装置２に、前記画像ファイリング装置２が有する情報を前記内視鏡装置１に送信する通信インタフェース部２１ｉ等からなる第２の送信手段と、
前記内視鏡装置１に、前記第２の送信手段から送信された情報を受信する前記第１の送信手段を兼ねる第１の受信手段と、
前記画像ファイリング装置２に、前記第１の送信手段から送信された情報を受信する第２の送信手段を兼ねる第２の受信手段と、
前記画像ファイリング装置に、前記第２の受信手段で受信した情報に含まれる前記内視鏡スイッチ１２ｃの状態に応じて、前記画像ファイリング装置の動作例えば検査開始時刻及び検査終了時刻を記録する動作を制御する手段と、
前記内視鏡装置１に、前記第１の受信手段で受信した前記画像ファイリング装置２が有する情報を前記モニタ１５に表示する手段を構成するコントローラ１４ｄ及びキャラクタジェネレータ１４ｅ及合成回路１４ｆと、
を備えたことを特徴としている。
【０２６０】
また、前記画像ファイリング装置２は、前記内視鏡スイッチ１２ｃと等価な操作を行うための入力手段例えば検査開始ボタン７１ｂ、検査終了ボタン７１ｃ、画像記録ボタン７１ｄを有すること、
を特徴としている。
【０２６１】
なお、本発明は、上記実施の形態のみに限定されるものではなく、発明の要旨を逸脱しない範囲で種々変形実施可能である。
【０２６２】
例えば、マウス２４はマウスに限らず、トラックボールや他のポインティングデバイスで構成してもよい。
【０２６３】
また、例えば、内視鏡１２は挿入部の先端部分に撮像手段１２ａを配設した電子内視鏡に限らず、挿入部の先端部分から図示しないイメージガイドファイバ等で被検部位１１の像を光学的に内視鏡の手元側に配設した図示しない撮像手段まで伝送する構成の内視鏡であってもよい。
【０２６４】
[付記]
（付記項１）
内視鏡画像を表示するモニタを有する内視鏡装置と、
前記内視鏡装置に設けられたスイッチである内視鏡スイッチと、
前記内視鏡装置と接続し前記内視鏡装置で得た前記内視鏡画像を記録する画像ファイリング装置と、
を備えた内視鏡画像ファイリングシステムであって、
前記内視鏡装置に、前記内視鏡スイッチの状態を含む情報を前記画像ファイリング装置に送信する第１の送信手段と、
前記画像ファイリング装置に、前記画像ファイリング装置が有する情報を前記内視鏡装置に送信する第２の送信手段と、
前記内視鏡装置に、前記第２の送信手段から送信された情報を受信する第１の受信手段と、
前記画像ファイリング装置に、前記第１の送信手段から送信された情報を受信する第２の受信手段と、
前記画像ファイリング装置に、前記第２の受信手段で受信した情報に含まれる前記内視鏡スイッチの状態に応じて、前記画像ファイリング装置の動作を制御する手段と、
前記内視鏡装置に、前記第１の受信手段で受信した前記画像ファイリング装置が有する情報を前記モニタに表示する手段と、
を備えたことを特徴とする内視鏡画像ファイリングシステム。
【０２６５】
（付記項２）
前記画像ファイリング装置は、前記内視鏡スイッチと等価な操作を行うための入力手段を有すること、
を特徴とする付記項１記載の内視鏡画像ファイリングシステム。
【０２６６】
（付記項３）
前記内視鏡スイッチの状態は、内視鏡検査の開始時点及び終了時点に変化すること、
を特徴とする付記項１記載の内視鏡画像ファイリングシステム。
【０２６７】
（付記項４）
前記画像ファイリング装置が有する情報は、患者の年齢や性別等といった患者情報を含むこと、
を特徴とする付記項１記載の内視鏡画像ファイリングシステム。
【０２６８】
（付記項５）
前記内視鏡スイッチは、レリーズスイッチ詳しくは前記内視鏡画像を記録する指示を入力する内視鏡スイッチを含み、
前記内視鏡スイッチと等価な操作を行うための入力手段は、前記レリーズスイッチと等価な操作を行うための入力手段を含むこと、
を特徴とする付記項２記載の内視鏡画像ファイリングシステム。
【０２６９】
【発明の効果】
本発明の内視鏡画像ファイリングシステムによれば、画像ファイリング装置が有する情報を内視鏡装置のモニタで得ることができ、且つ、内視鏡に設けた内視鏡スイッチにより画像ファイリング装置の検査終了動作を行うことができ、操作性を向上させることができる。
【図面の簡単な説明】
【図１】図１ないし図４４は本発明の第１の実施の形態に係り、図１は内視鏡画像ファイリングシステムの全体構成を説明する説明図
【図２】内視鏡装置の構成を説明する説明図
【図３】画像ファイリング装置のハードウェア構成を説明するブロック図
【図４】画像ファイリング装置の画面構成の概要を説明する説明図
【図５】画像ファイリング装置の操作の流れの全体像を説明するフローチャート
【図６】ログイン画面の画面表示の例を示す図
【図７】スケジュール一覧画面の画面表示の例を示す図
【図８】絞り込み条件設定画面の画面表示の例を示す図
【図９】カレンダ画面の画面表示の例を示す図
【図１０】絞り込み条件設定画面の画面表示の例を示す図
【図１１】絞り込み条件設定画面の画面表示の例を示す図
【図１２】絞り込み条件設定画面の画面表示の例を示す図
【図１３】検査室稼働状況表示画面の画面表示の例を示す図
【図１４】資源スケジュール編集画面の画面表示の例を示す図
【図１５】資源スケジュール編集画面の画面表示の例を示す図
【図１６】患者一覧画面の画面表示の例を示す図
【図１７】患者情報編集画面の画面表示の例を示す図
【図１８】検査情報編集画面の画面表示の例を示す図
【図１９】検査実行画面の画面表示の例を示す図
【図２０】検査情報参照画面の画面表示の例を示す図
【図２１】患者情報参照画面の画面表示の例を示す図
【図２２】検査実行時の内視鏡モニタ画面の画面表示の例を示す図
【図２３】検査実行時の内視鏡モニタ画面の画面表示の例を示す図
【図２４】画像編集テンプレート設定画面の画面表示の例を示す図
【図２５】画像編集テンプレート設定画面の画面表示の例を示す図
【図２６】検査実行の流れを説明するフローチャート
【図２７】画像選択画面の画面表示の例を示す図
【図２８】人体図形画面の画面表示の例を示す図
【図２９】画像保存画面の画面表示の例を示す図
【図３０】画像保存画面の画面表示の例を示す図
【図３１】画像編集画面の画面表示の例を示す図
【図３２】画像編集画面の画面表示の例を示す図
【図３３】色調設定画面の画面表示の例を示す図
【図３４】注意画面の画面表示の例を示す図
【図３５】距離測定画面の画面表示の例を示す図
【図３６】距離測定画面の画面表示の例を示す図
【図３７】距離測定画面の画面表示の例を示す図
【図３８】画像分類画面の画面表示の例を示す図
【図３９】画像分類一覧画面の画面表示の例を示す図
【図４０】印刷画像数選択画面の画面表示の例を示す図
【図４１】印刷確認画面の画面表示の例を示す図
【図４２】レポート作成画面の画面表示の例を示す図
【図４３】レポート作成画面の画面表示の例を示す図
【図４４】レポート作成画面の画面表示の例を示す図
【符号の説明】
１…内視鏡装置
２…画像ファイリング装置
１２…内視鏡
１２ｃ…内視鏡スイッチ
１３…光源装置
１４…画像生成部
１４ａ…画像処理部
１４ｂ…画像メモリ
１４ｃ…Ｄ／Ａ変換部
１４ｄ…コントローラ
１４ｅ…キャラクタジェネレータ
１４ｆ…合成回路
１４ｈ…通信インタフェース部
１５…モニタ
２１…パーソナルコンピュータ
２１ａ…ＣＰＵ
２１ｄ…ＶＲＡＭ
２１ｅ…ハードディスク
２１ｉ…通信インタフェース部
２１ｊ…ビデオ回路
２１ｋ…Ａ／Ｄ変換部
２１ｌ…画像メモリ
２２…モニタ
２３…キーボード
２４…マウス
【図１】
0003540611.tif 000002
【図２】
0003540611.tif 000003
【図３】
0003540611.tif 000004
【図４】
0003540611.tif 000005
【図５】
0003540611.tif 000006
【図６】
0003540611.tif 000007
【図７】
0003540611.tif 000008
【図８】
0003540611.tif 000009
【図９】
0003540611.tif 000010
【図１０】
0003540611.tif 000011
【図１１】
0003540611.tif 000012
【図１２】
0003540611.tif 000013
【図１３】
0003540611.tif 000014
【図１４】
0003540611.tif 000015
【図１５】
0003540611.tif 000016
【図１６】
0003540611.tif 000017
【図１７】
0003540611.tif 000018
【図１８】
0003540611.tif 000019
【図１９】
0003540611.tif 000020
【図２０】
0003540611.tif 000021
【図２１】
0003540611.tif 000022
【図２２】
0003540611.tif 000023
【図２３】
0003540611.tif 000024
【図２４】
0003540611.tif 000025
【図２５】
0003540611.tif 000026
【図２６】
0003540611.tif 000027
【図２７】
0003540611.tif 000028
【図２８】
0003540611.tif 000029
【図２９】
0003540611.tif 000030
【図３０】
0003540611.tif 000031
【図３１】
0003540611.tif 000032
【図３２】
0003540611.tif 000033
【図３３】
0003540611.tif 000034
【図３４】
0003540611.tif 000035
【図３５】
0003540611.tif 000036
【図３６】
0003540611.tif 000037
【図３７】
0003540611.tif 000038
【図３８】
0003540611.tif 000039
【図３９】
0003540611.tif 000040
【図４０】
0003540611.tif 000041
【図４１】
0003540611.tif 000042
【図４２】
0003540611.tif 000043
【図４３】
0003540611.tif 000044
【図４４】
0003540611.tif 000045